(57)【要約】【課題】  従来客（消費者）は、単品単価はすぐに判断できるが、全金額的には最終的にレジに置いてでしか判らなかった。つまり、個人個人に対して、たえず瞬時に途中で、何かの機械的方法で、音声や画面表示板などトータルに告知をすることもなかった。  また買物の最終決済時には一品一品のオペレーターによる入力打込みや、バーコード読取りに店も客も時間的ロスと費用をかけ並んで精算してきたが、ある意味で非常に不便な面が多かった。【解決手段】  そこでこの発明は、買物カゴ器自体の感知計算機能音声及び表示画面デジタルカメラと電波入出力付買物カゴ器（各ナンバー付）構造組合せと店舗内構成システム等によって、上記の欠点を解決しようとしたものである。【選択図】図１
2009093608.tif 000002
【特許請求の範囲】
【請求項１】
買物カゴ器本体に、カゴ器付画面表示板、指向性小型スピーカー、指向性小型マイク（スイッチ付）、高品微弱波読取感知アンテナ付センサー、デジタル動画小型カメラ、メモリー付入出力計算機能を組合せ一体化させた買物カゴ器であることを特長とする。
【請求項２】
全商品をインク自体より微弱波が出る商品にて店舗を構成したシステム及び買物カゴ器。
【請求項３】
レジ用受信アンテナ及び入出力同調機能付レジ機、メインコンピューター等で運用できるように配備をし、いかなる場合でも自動的に瞬時（オンデマンド）に買物をした中間集計、トータル集計情報がたえず買物カゴに設けた画面に表示されることを可能としたシステム及び買物カゴ器であることを特長とする。
【請求項４】
上記［請求項３］をたえずメインコンピューター及びレジ機でも双方同時に同調しているシステム。
【請求項５】
上記［請求項３］のカゴ器において音声も送受信が出来る電波入出力付買物カゴ器で各個において個別ナンバーが設けられている買物カゴ器。
【請求項６】
上記［請求項５］において非常時発生の火災、地震等の告知が店内放送と同時及び個々の客ごとに対応可能な買物カゴ器。
【請求項７】
上記［請求項５］において、個々の客側より本発明のカゴ器を用いて、店側に質問や至急情報の送受信が個々に行える買物カゴ器。
【請求項８】
レジにおいて精算をする際は、カゴ器のナンバーをレジ係が入力さえすれば、時間を要することなく（買物カゴ器［請求項１］）と携帯電話機などによる電子決済同調機能も行える電波入力機能付レジ機。
【発明の詳細な説明】
【技術分野】
【０００１】本発明は、電波入出力付買物カゴ器（各ナンバー付）に関する。
【背景技術】
【０００２】  従来客（消費者）は、スーパーで等で買物をする際、次々と買増をしたり返品をしたりして行く。
そう言った場合単品単価はすぐに判断できるが、全金額的には最終的にレジに置いてでしか判らなかった。つまり、個人個人に対して、たえず瞬時に途中で、何かの機械的方法で、音声や画面表示板などトータルに告知をすることもなかった。【０００３】
【特許文献１】
【特許文献２】
【特許文献３】
【発明の開示】
【発明が解決しようとする課題】
【０００４】従来は、買物の最終決済時には一品一品のオペレーターによる入力打込みや、バーコード読取りに店も客も時間的ロスと費要を掛け並んで精算をして来たが、ある意味で非常に不便な面が多かった。
そこでこの本発明は、買物カゴ器自体の構造組合せと下記の店舗内構成システムによって上記の欠点を解決しようとしたものである。
【課題を解決する手段】
【０００５】  そこで本発明は、
イ）買物カゴ器本体に▲３▼・▲４▼・▲５▼・▲６▼・▲７▼・▲８▼機能を組合せ一体化させ、
ロ）▲２▼の全商品を包装材インク自体より微弱波が出せる商品にて店舗を構成した上、
ハ）▲９▼・▲１０▼・▲１１▼で運用配備をしいかなる場合で自動的に瞬時（オンデマンド）に買物トータル計算と内訳を一緒とした出力精算が可能で、
ニ）その上記ハ）をたえず、表示画面板と音声にて告知することが可能で、
ホ）レジにおいて精算をする際は、カゴ器のナンバーをレジ係が入力さえすれば時間を要すことなく、（買物カゴ器イ）と携帯電話機などによる電子決済同調機能が行える電波入出力機能付レジ機
としたもので課題を解決するため構成されている。
【発明の効果】
【０００６】  本発明は、まず、商品体自ら微弱波が出るインクを応用し商品体とするので、その上で、この考案である電波入出力付買物カゴ器（各ナンバー付）を利用すると、買物商品の単価及び総合計金額と明細が、たえず機械的に正確に表示画面板と音声により、各個人とレジ機に瞬間的オンデマンドに双方告知が可能とりある意味で障害者にも役立つわけである。
【０００７】  また客は時間を掛けてかいものをし、最終的にレジに置いては、レジ係が一品一種をそれぞれ入力をしたりバーコード読取に時間ロスを要していたが、
【０００８】  上記のごとく本発明方法を用いるならば、係員が個々の買物カゴ器ナンバーを見て、その番号を入力打込みさえすれば、買物総合計金額と内訳が自動的にレジ台画面に表示をされ同時にレシートも発券をされる。
【０００９】  また別に、携帯電話機等電子決済において、買物店の名前をクリックし次に決済ボタンを押せば、これも自動的に精算が即決済となる。
決済時点においては店も客も即座に済ませられる合理的迅速性が発揮できその上諸経費人件費など少減できる。感知計算機能音声及び表示画面デジタルカメラ電波入出力付買物カゴ器（各ナンバー付）の発明である。
【発明を実施するための最良の形態】
【００１０】使用例をプロセス的に順次説明して行くと、第１プロセスは、客の買物の際、本考案▲２▼のインク自体より微弱波が出ている商品物体（例：磁波など）を▲１▼の電波入出力付買物カゴ器（各ナンバー付）に投入すると、▲２▼用商品微弱波読取感知アンテナ付センサー▲６▼が、まず投入単価を、▲３▼のカゴ器付画面表示板に、▲４▼の指向性小型スピーカーと合わせて第一作動を行い客はこのことで目と耳で双方確認ができる。【００１１】  第２プロセスとして、第１プロセスが済み次第即座に間逃がさず、▲８▼のメモリー付入出力計算機能が第二作動をし、すでに今までに投入されているすべての全商品総合計金トータルを、今度は再度第１プロセスと同様に画面と音声にてオンデマンド（瞬時）に行う。【００１２】  第３プロセスとして、その後▲８▼のメモリー付入出力計算機能が第三作動をし、店内各所に配置をしてある▲１０▼の送受信用店舗内アンテナを通じ、客の一連の買物記録情報を、▲１１▼のメインコンピューター（送受信電波機能付）にて再度加算減算を連続して行う。この際、買物カゴ器画面の表示金合計と、▲１１▼のメインコンピューター及び▲９▼のレジ用受信アンテナ及びレジ機においては、たえず情報が連動して共有をされる様にシステム構成されている。【００１３】  第４プロセスは、客が最終的に買物を終えて決済をする場合に精算のためレジに買物カゴ器を商品と一緒に持参をするが、本考案の▲１▼である電波入出力付買物カゴ器（各ナンバー付）は、上記の如く第一プロセスから第三プロセスの様に一連の機械的流れが常時第四まで作動しているがため、第四プロセスとして客が買物を途中で中止をしたりしたいかなる場合でもレジに置いては本発明方法を応用利用すると、レジ係は買物カゴ器の個々のナンバーを、レジ機に入力さえすれば一品一品の入力を行ったり、バーコードで一個ずつ商品読取を時間を掛けてすることなく、客の買物をした総合計金額がたえず瞬時にオンデマンド的に買物カゴ器と同額表示をされるシステム及び商品・カゴ器を組合せ構成した発明である。【００１４】本発明はまず、商品体自ら微弱波が出るインクを応用し商品体とするので、その上で、この発明である電波入出力付買物カゴ器（各ナンバー付）を利用すると、買物商品の単価及び総合計金額と明細が、たえず機械的に正確に表示画面板と音声により、各個人とレジ機に瞬間的オンデマンドに双方告知が可能となり、ある意味で障害者にも役立つわけである。【００１５】  また別に、携帯電話機等電子決済において、買物店の名前をクリックし次に決済ボタンを押せば、これも自動的に精算が即決済となる。
決済時点においては店も客も即座に済ませられる合理的迅速性が発揮できその上諸経費人件費など少減できる、感知計算機能音声及び表示画面デジタルカメラ電波入出力付買物カゴ器（各ナンバー付）の発明である。【００１６】  また客は時間を掛けてかいものをし、最終的にレジに置いては、レジ係が一品一種をそれぞれ入力をしたりバーコード読取に時間ロスを要していたが、上記のごとく本考案方法を用いるならば、係員が個々の買物カゴ器ナンバーを見て、その番号を入力打込みさえすれば、買物総合計金額と内訳が自動的にレジ台画面に表示をされ同時にレシートも発券をされる。
【産業上の利用の可能性】
【００１７】  客が買物行動途中であっても不明な点や問題が発生をしたような場合においてカゴ器の指向性マイクか▲７▼のデジタル動画小型カメラを作動させ店側に直接問合せをしたり、
【００１８】またある場合には店側より緊急を要する事態（例：火災・地震など）が発生をし、客を緊急避難誘導したい時なども店内放送より各個人客に確実正確に伝達応用もできる、
【００１９】  従来客（消費者）は、スーパーで等で買物をする際、次々と買増をしたり返品をしたりして行く、
また買物の最終決済時には一品一品のオペレーターによる入力打込みや、バーコード読取りに店も客も時間的ロスと費要を掛け並んで精算をして来たが、ある意味で非常に不便な面が多かった。
【００２０】  そう言った場合単品単価はすぐに判断できるが、全金額的には最終的にレジに置いてでしか判らなかった。つまり、個人個人に対して、たえず瞬時に途中で、何かの機械的方法で、音声や画面表示板などトータルに告知をすることもなかった。
そこでこの発明は、買物カゴ器自体の構造組合せと下記の店舗内構成システムによって上記の欠点を解決し問題点を改善し、産業上の利用の可能性を向上を計ることができる発明である。
【図面の簡単な説明】
【００２１】
【図１】は本発明の簡単な見取全体図、
【図２】は応用配置略図（例示）である。また、記号Ａ（点線円形部分）は電子決済のできる携帯電話機のレジにおける使用例示である。
【符号の説明】
【００２２】▲１▼  電波入出力付買物カゴ器（各ナンバー付）
▲２▼  インク自体（例：印刷物・数字・図形・文字など）より微弱波が出る商品物体
▲３▼  カゴ器付画面表示板
▲４▼  指向性小型スピーカー
▲５▼  指向性小型マイク（スイッチ付）
▲６▼  ▲２▼用商品微弱波読取感知アンテナ付センサー、
▲７▼  デジタル動画小型カメラ
▲８▼  メモリー付入出力計算機能
▲９▼  レジ用送受信アンテナ及び入出力同調機能付レジ機
▲１０▼  送受信用店内アンテナ
▲１１▼  メインコンピューター（送受信電波機能付）である。
【図１】
2009093608.tif 000003
【図２】
2009093608.tif 000004